(57)【特許請求の範囲】
【請求項１】
インタレース方式で眼底画像を撮影する撮影手段と、
前記眼底画像のライン単位で、画像不良を検出する検出手段と、
前記画像不良が検出された検出ラインに隣接する隣接ラインの画像を加工して表示する加工表示手段と
を有することを特徴とする眼科装置。
【請求項２】
前記検出手段は、瞬き跡を画像不良として検出し、
前記加工表示手段は、前記画像不良が検出された領域の画像を、瞬き跡を強調する画像に加工して表示することを特徴とする請求項１に記載の眼科装置。
【請求項３】
前記加工表示手段は、前記検出ラインの前記眼底画像を前記隣接ラインの前記眼底画像にコピーして表示することを特徴とする請求項１又は２に記載の眼科装置。
【請求項４】
前記加工表示手段は、前記隣接ラインの眼底画像を黒画像に加工して表示することを特徴とする請求項２に記載の眼科装置。
【請求項５】
前記加工表示手段は、さらに検出ラインの眼底画像を黒画像に加工して表示することを特徴とする請求項４に記載の眼科装置。
【請求項６】
画像不良の検出結果に基づいて、再撮影を行うか否かを判定する判定手段をさらに有し、
前記撮影手段は、前記再撮影を行うと判定された場合に、眼底画像の再撮影を行い、
前記再撮影により得られた眼底画像を記憶手段に保存する保存手段をさらに有することを特徴とする請求項１乃至４何れか１項に記載の眼科装置。
【請求項７】
前記撮影手段は、Ｓｃａｎｎｉｎｇ  Ｌａｓｅｒ  Ｏｐｈｔｈａｌｍｏｓｃｏｐｅ（ＳＬＯ）であることを特徴とする請求項１乃至５何れか１項に記載の眼科装置。
【請求項８】
眼科装置が実行する制御方法であって、
インタレース方式で眼底画像を撮影する撮影ステップと、
前記眼底画像のライン単位で、画像不良を検出する検出ステップと、
前記画像不良が検出された検出ラインに隣接する隣接ラインの画像を加工して表示する加工表示ステップと
を含むことを特徴とする制御方法。
【請求項９】
コンピュータを、
インタレース方式で撮影された眼底画像のライン単位で、画像不良を検出する検出ステップと、
前記画像不良が検出された検出ラインに隣接する隣接ラインの画像を加工して表示する加工表示ステップと
して機能させるためのプログラム。
【発明の詳細な説明】
【技術分野】
【０００１】
本発明は、眼科装置、制御方法及びプログラムに関する。
【背景技術】
【０００２】
現在、光学機器を用いた眼科用機器として、様々なものが使用されている。例えば、眼を観察する光学機器として、前眼部撮影機、眼底カメラ、共焦点レーザー走査検眼鏡（Ｓｃａｎｎｉｎｇ  Ｌａｓｅｒ  Ｏｐｈｔｈａｌｍｏｓｃｏｐｅ：  ＳＬＯ）、等様々な機器が使用されている。特許文献１には、ＳＬＯ画像の生成にインタレース方式を使うことによってフレームレートを上げて、ちらつきを目立たなくする技術が開示されている。
【０００３】
さらに、光干渉断層撮像装置（Ｏｐｔｉｃａｌ  Ｃｏｈｅｒｅｎｃｅ  Ｔｏｍｏｇｒａｐｈｙ：ＯＣＴ、以下ＯＣＴ装置と記す）は、被検眼の眼底における網膜の断層画像を高解像度に撮像することも可能である。このため、網膜の眼科診断等において広く利用されている。ＯＣＴ装置にＳＬＯを組み合わせた構成の装置も知られている。ＯＣＴ装置は、観察用画面に観察用の眼底正面画像と、観察用の断層画像を操作者に提示する。操作者は、これらの観察用画像を見ながら、例えば、眼の状態（瞬きや固視微動）を観察し、測定断層画像撮影のためのフォーカスや、網膜上の撮影位置等の調整を行う（特許文献２参照）。
【先行技術文献】
【特許文献】
【０００４】
【特許文献１】特開平７−１７８０５３号公報
【特許文献２】特許第５２３１８０２号公報
【発明の概要】
【発明が解決しようとする課題】
【０００５】
しかし、ＳＬＯ画像の生成にインタレース方式を利用した場合、ＳＬＯ画像を構成する奇数フィルドと偶数フィルドの間に瞬きが起こったり、固視微動で目が動いたりすることで、インタレース縞が発生する。瞬きの場合は、片方のフィルドだけに瞬きが起きた場合では、観察者は、瞬きが起きたことに気付き難い。
【０００６】
本発明はこのような問題点に鑑みなされたもので、インタレース方式で撮影された眼底画像における画像不良が観察者に見逃されるのを防ぐことを目的とする。
【課題を解決するための手段】
【０００７】
そこで、本発明は、眼科装置であって、インタレース方式で眼底画像を撮影する撮影手段と、前記眼底画像のライン単位で、画像不良を検出する検出手段と、前記画像不良が検出された検出ラインに隣接する隣接ラインの画像を加工して表示する加工表示手段とを有することを特徴とする。
【発明の効果】
【０００８】
本発明によれば、インタレース方式で撮影された眼底画像における画像不良が観察者に見逃されるのを防ぐことができる。
【図面の簡単な説明】
【０００９】
【図１】眼科装置を示す図である。
【図２】撮影部を示す図である。
【図３】眼底正面画像及び断層像の一例を示す図である。
【図４】画像処理部を示す図である。
【図５】観察画面の一例を示す図である。
【図６】画像生成処理を示すフローチャートである。
【図７】奇数ライン及び偶数ラインの説明図である。
【図８】瞬き強調処理の説明図である。
【図９】第２の実施形態に係る画像生成処理を示すフローチャートである。
【発明を実施するための形態】
【００１０】
以下、本発明の実施形態について図面に基づいて説明する。
【００１１】
（第１の実施形態）
図１は、本実施形態に係る眼科装置を示す図である。本実施形態に係る眼科装置は、インタレース方式で撮影された眼底正面画像を解析し、瞬きが発生した場合は眼底正面画像の加工を行う。眼科装置は、撮影部１１０と、画像処理部１２０と、表示部１３０とを有している。撮影部１１０は、測定光を被検眼上で走査及び撮像することにより画像データを撮影する。画像処理部１２０は、撮影部１１０で得られた画像データから被検眼の眼底画像を生成する。表示部１３０は、画像処理部１２０で生成された被検眼の眼底画像を表示する。ここで、眼底画像は眼底正面画像と断層画像を含むものとする。
【００１２】
図２は、撮影部１１０を示す図である。撮影部１１０は、インタレース方式による、被検眼１００の眼底の２次元画像（眼底正面画像）の撮影、及び眼底の断層像の撮影を行う。すなわち、撮影部１１０は、撮影手段の一例として機能する。撮影部１１０は、被検眼１００の眼底正面画像を取得する眼底正面撮影部１１１と、網膜部分に対して測定光をスキャンして断層像を取得する断層像撮影部１１２と、前眼部撮影部１１３とを有している。被検眼１００に対向して対物光学系２１０が設置され、その光軸上に光分割部材２３０と光分割部材２４０が配置されている。これらの光分割部材２３０と光分割部材２４０によって波長帯域毎に断層像撮影部１１２の光路、眼底正面撮影部１１１の光路、及び前眼部撮影部１１３の光路に分岐される。
【００１３】
本実施形態において、眼底正面撮影部１１１は、インタレースＳＬＯ（Ｓｃａｎｎｉｎｇ  Ｌａｓｅｒ  Ｏｐｈｔｈａｌｍｏｓｃｏｐｅ）とする。断層像撮影部１１２は、干渉光を分光して検出した信号をフーリエ変換して断層像を生成するスペクトラルドメイン方式とする。なお、本実施形態においては、水平方向をｘ軸、鉛直方向をｙ軸、撮影方向をｚ軸とする３次元系を考え、ｘ軸方向の測定光スキャンを水平スキャン、ｙ軸方向のスキャンを垂直スキャンと称することとする。
【００１４】
低コヒーレンス光源であるＳＬＤ２１１から発せられた光は、ファイバカプラ２１２に入射する。ファイバカプラ２１２は、入射した光を測定光Ｂｍと参照光Ｂｒに分離し、測定光Ｂｍは光ファイバによりＯＣＴ走査光学系２１３に、参照光Ｂｒは参照光コリメータ２１５に出力される。ＯＣＴ走査光学系２１３は、入力した測定光Ｂｍを不図示のガルバノミラーに集光してＯＣＴ測定光の走査を行う。ここではガルバノミラーは、水平スキャンをするスキャナと垂直スキャンをするスキャナから構成される。走査された測定光Ｂｍは、光分割部材２３０と光分割部材２４０とを通し、対物光学系２１０を介して被測定物である被検眼１００の網膜に到達する。そして、測定光Ｂｍは、被検眼１００で反射して再び対物光学系２１０、光分割部材２３０、光分割部材２４０とＯＣＴ走査光学系２１３を通ってファイバカプラ２１２に到達する。
【００１５】
一方、ファイバカプラ２１２から出力された参照光Ｂｒは、光ファイバにより参照光コリメータ２１５を介して参照ミラー２１６で反射し、再びファイバカプラ２１２に到達する。そして、参照光Ｂｒは、ファイバカプラ２１２で測定光Ｂｍと干渉して干渉光が生成され、ＯＣＴ信号検出部２１８に入力される。参照ミラー２１６の位置を変更することで、参照光の光路長が変更される。ＯＣＴ信号検出部２１８は干渉光を検出し、電気的な干渉信号を出力する。
【００１６】
さらに、眼底正面撮影部１１１と光分割部材２４０により、眼底正面画像が撮影される。この場合、ＳＬＯレーザー光源２４１からの光束は、光分割部材２４２を通し、ＳＬＯ走査光学系２４３に入力される。ＳＬＯ走査光学系２４３は、入力したＳＬＯレーザー光を不図示のガルバノミラーに集光してＳＬＯ測定光の走査を行う。ガルバノミラーは、水平スキャンをするポリゴンミラーと垂直スキャンをするスキャナから構成される。走査されたＳＬＯレーザー光は、光分割部材２３０と光分割部材２４０を通し、対物光学系２１０を介して被測定物である被検眼１００の網膜に到達する。そして、ＳＬＯレーザー光は、被検眼１００で反射して再び対物光学系２１０、光分割部材２３０、光分割部材２４０とＳＬＯ走査光学系２４３、光分割部材２４２を通ってＳＬＯ信号検出部２４５へ到達する。ＳＬＯ信号検出部２４５は、光を検出し、電気的なＳＬＯ信号を出力する。
【００１７】
前眼部撮影部１１３は、前眼部を照明する不図示の赤外ＬＥＤと、不図示のＣＣＤカメラから構成される。赤外ＬＥＤは発生する赤外光を光分割部材２３０と対物光学系２１０を通して被験者の前眼部を照射する。反射された赤外光は対物光学系２１０と光分割部材２３０を通し、ＣＣＤカメラによって前眼部画像が得られる。ここでは、ＳＬＯレーザー光源２４１の波長は７５０ｎｍとし、ＳＬＤ２１１の波長は８５０ｎｍとし、前眼部照明用の赤外光は９７０ｎｍとする。ただし、これらの波長に制限をすることなく、その他の波長でＯＣＴ、ＳＬＯ、前眼部照明を構成してもよい。また、光分割部材２３０と光分割部材２４０はダイクロミラーとし、光分割部材２４２は孔空きミラーとする。ただし、これらは一例であり、ハーフミラーなどのように光を２つに分割できる部材を利用してもよい。
【００１８】
図３は、撮影部１１０により再構成される眼底正面画像及び断層像の一例を示す図である。図３（ａ）の３００は、眼底正面画像である。図３（ｂ）の３１０は、断層像である。図３（ａ）の点線３０１は、図３（ｂ）の断層像３１０の撮影された位置である。Ｘ軸及びＹ軸は、それぞれ水平スキャンの方向及び垂直スキャンの方向に対応している。Ａ−スキャン３１１の奥行方向は、Ｚ軸方向に対応している。本実施形態では、干渉系としてマイケルソン干渉系を用いたが、マッハツェンダー干渉系を用いてもよい。測定光と参照光との光量差に応じて、光量差が大きい場合にはマッハツェンダー干渉系を、光量差が比較的小さい場合にはマイケルソン干渉系を用いることが望ましい。
【００１９】
図４は、画像処理部１２０を示す図である。画像処理部１２０は、画像生成部１２１と、記憶部１２２と、制御部１２３と、画像不良判定部１２４とを有している。なお、これらの機能は、ＣＰＵがＲＯＭ又はＨＤＤに格納されているプログラムを読み出し、このプログラムを実行することにより実現されるものである。制御部１２３は、撮影部１１０の制御を行い、被検眼の撮像をする。制御部１２３は、ＯＣＴ走査光学系２１３に走査制御信号を送り、被検眼１００をＸ方向、Ｙ方向に走査する。さらに、制御部１２３は不図示のフォーカスレンズ及び参照ミラー２１６の位置制御もする。画像生成部１２１は、ＯＣＴ信号検出部２１８、ＳＬＯ信号検出部２４５、画像処理部１２０内の記憶部１２２と接続されている。また画像生成部１２１は、ＯＣＴ信号検出部２１８から得られるデータをフーリエ変換し、得られるデータを輝度或いは濃度情報に変換することによって被検眼の深さ方向（Ｚ方向）の画像を取得する。このようなスキャン方式をＡスキャン、得られる断層画像をＡスキャン画像と称することとする。
【００２０】
このＡスキャンを被検眼１００の所定の横断方向にＯＣＴ走査光学系２１３にて走査することによって、複数のＡスキャン画像を取得することができる。例えばＸ方向に走査すればＸＺ面における断層画像が得られ、Ｙ方向に走査すればＹＺ面における断層画像が得られる。このように被検眼１００を所定の横断方向に走査する方式をＢスキャン、得られる断層画像をＢスキャン画像と称することとする。このＢスキャンを被検眼１００の所定の方向にＯＣＴ走査光学系にて繰り返すことによって、複数のＢスキャン画像を取得することができる。例えば、ＸＺ面のＢスキャンをＹ方向に繰り返すことで、ＸＹＺ空間の３次元情報を得ることができる。このような走査をＣスキャンと称し、得られた複数のＢスキャン画像から成るデータを３次元データと称することとする。
【００２１】
記憶部１２２は、画像生成部１２１が生成した画像を記憶する。記憶部１２２はまた、被検眼の撮影に使われた撮影パラメータ等を記憶する。画像不良判定部１２４は、画像生成部１２１が生成した画像や記憶部１２２に格納されている画像の解析を行い、画像の不良の判定を行う。ここで判定する画像不良の例としては、撮影中に被検眼の瞬きにより画像に残る"瞬き跡"や、固視微動による"インタレース縞"、コントラスト不足等が挙げられる。
【００２２】
次に、眼底正面画像を生成する方法について説明する。制御部１２３は、ＳＬＯ走査光学系２４３に走査制御信号を送り、被検眼１００をＸ方向、Ｙ方向に走査する。さらに、制御部１２３は、不図示のフォーカスレンズの位置制御もする。画像生成部１２１は、ＳＬＯ信号検出部２４５から得られる信号情報を走査信号に基づいて得られた輝度値を並べて、ＸＹ方向の眼底正面画像を生成する。ここでは、眼底を走査するＳＬＯ走査光学系を制御しながらインタレース方式を用いた眼底正面画像を用いる。さらに、画像不良判定部１２４は、眼底正面画像を解析し、解析結果に基づいてライン単位で、眼底正面画像が不良か否かを判定する。画像生成部１２１はＢスキャン画像、３次元データ、眼底正面画像と前眼部画像を生成し、記憶部１２２に記憶する。表示部１３０は、記憶部１２２に記憶されたＢスキャン画像、眼底正面画像、及び前眼部画像を表示する。
【００２３】
続いて、眼科装置における観察から撮影までの流れを説明する。図５は、観察に利用される、観察画面５００の一例を示す図である。観察画面５００は、観察時に表示部１３０に表示される。観察画面５００には、前眼部画像５１０、眼底正面画像５０１、断層画像５０２，５０３，５０４，５０５、フォーカス調整スライダー５０８、参照ミラー位置調整スライダー５０７、測定開始ボタン５０６が表示されている。点線５０９は、眼底正面画像５０１上の断層画像５０２〜５０５のスキャン位置（スキャンライン）を示す。
【００２４】
操作者が前眼部画像５１０を観察しながら対物光学系２１０の正面に被検眼１００を位置させた後、ＳＬＯ走査光学系２４３のＸＹ方向の走査により眼底正面画像が生成され、ＯＣＴ走査光学系２１３のＸＹ方向の走査により断層画像が生成される。操作者は、眼底正面画像５０１、断層画像５０２〜５０５を観察しながら不図示のマウスやマウスカーソルを用いてフォーカス調整スライダー５０８、参照ミラー位置調整スライダー５０７を操作する。これにより、断層画像のフォーカスや、参照ミラー２１６の位置等を調整することができる。これに応じて、断層画像と眼底正面画像は適宜更新される。さらに、眼底正面画像５０１中のスキャンライン５０９は断層画像の取得時に走査される走査位置を示したものであり、眼底正面画像５０１に重畳されている。撮影者はこのスキャンライン５０９をマウスやタッチパネル等の図示なき走査位置変更手段を操作し、所望の走査位置を設定する。
【００２５】
図６は、眼科装置による画像生成処理を示すフローチャートである。本実施形態の眼科装置は、眼底正面画像の撮影用スキャンを、奇数ラインと偶数ラインに分けて行う。図７は、奇数ライン及び偶数ラインの説明図である。図７の例では、眼底正面画像の奇数ラインは、Ｌ１，Ｌ３，・・・，Ｌ１９で構成され、偶数ラインは、Ｌ２，Ｌ４，・・・，Ｌ２０で構成されている。以下、奇数ラインの眼底正面画像及び偶数ラインの眼底正面画像をそれぞれ、奇数フィルド及び偶数フィルドと称する。
【００２６】
Ｓ６００において、画像生成部１２１は、制御部１２３による眼底正面撮影部１１１の制御に対応し、眼底画像奇数ラインを取得する。次に、Ｓ６０１において、画像生成部１２１は、制御部１２３による眼底正面撮影部１１１の制御に対応し、眼底画像偶数ラインを取得する。次に、Ｓ６０２において、画像生成部１２１は、Ｓ６００，Ｓ６０１において得られた眼底画像奇数ライン（奇数フィルド）と、眼底画像偶数ライン（偶数フィルド）とを合成し、一枚の眼底正面画像を再構成する。
【００２７】
次に、Ｓ６０３において、画像不良判定部１２４は、画像生成部１２１が生成した眼底正面画像において瞬きを検出する。具体的には、画像不良判定部１２４は、ライン単位で瞬き跡の画像を検出する。ここで、瞬き跡は、被検眼の撮影中に瞬きをした事により画像に残る跡のことであり、画像不良の一例である。また、Ｓ６０３の処理は検出処理の一例である。眼底正面撮影中に瞬きが起こると、眼底からの信号が戻らなくなり、瞬きが起きた間の撮影信号がなくなり、その分画像が黒くなる。そこで、本実施形態に係る画像不良判定部１２４は、瞬き跡を検出するため、眼底正面画像のライン単位の輝度の時間変化を監視し、輝度が閾値以下である場合に、処理対象のラインにおいて瞬き跡を検出したと判定することとする。
【００２８】
また、画像不良判定部１２４は、前述の閾値として、動的な値を用いる。すなわち、画像不良判定部１２４は、直前に処理対象としたラインの輝度値の所定割合の値（ここでは、半分とする）を閾値として設定する。すなわち、画像不良判定部１２４は、処理対象のラインの輝度値が直前のラインの輝度値の所定割合の値以下の場合に、処理対象のラインにおいて瞬き跡を検出したと判定する。さらに、画像不良判定部１２４は、ノイズの影響を減らす為に、ラインのピクセル値の平均値で比較を行うものとする。例えば、時間ＴのラインＬ１０のピクセルの平均値と時間Ｔ＋１のラインＬ１１のピクセルの平均値を比較して、平均値が半分以下になったとする。この場合、画像不良判定部１２４は、ラインＬ１１において瞬き跡を検出したと判定する。
【００２９】
そして、画像不良判定部１２４は、瞬き跡を検出した場合には（Ｓ６０３でＹｅｓ）、処理をＳ６０４へ進める。画像不良判定部１２４は、瞬き跡を検出しなかった場合には（Ｓ６０３でＮｏ）、処理をＳ６０５へ進める。Ｓ６０４において、画像生成部１２１は、眼底正面画像に対し、瞬き強調加工を行う。具体的には、画像生成部１２１は、瞬き跡が検出されたラインＬ（検出ライン）の画像を、隣接するラインＬ＋１（隣接ライン）にコピーする。画像生成部１２１は、隣接ラインの画像を検出ラインの画像に変更することにより、コピーを行う。ただし、隣接するラインＬ＋１においても瞬き跡が検出されていた場合には、隣接するラインＬ＋１へのコピーは行わない。例えば、ラインＬ１０において瞬き跡が検出され、ラインＬ１１において瞬き跡が検出されなかったとする。この場合、画像生成部１２１は、ラインＬ１０の画像をラインＬ１１にコピーする。
【００３０】
図８は、瞬き強調加工処理（Ｓ６０４）の説明図である。図８（ａ）は、眼底画像合成処理（Ｓ６０２）において生成された眼底正面画像８００を示す図である。また、図８（ｂ）は、瞬き強調加工処理（Ｓ６０４）後の眼底正面画像８１０を示す図である。図８（ａ）に示す眼底正面画像８００の領域８０１において、奇数フィルドで瞬き跡が検出されている。図８（ａ）に示すように、奇数フィルドで瞬き跡が検出され、かつ偶数フィルドで瞬き跡が検出されていない場合には、眼底正面画像８００において瞬きによるインタレース縞が発生する。ただし、この場合には偶数フレームに正常な眼底正面画像があるため、観察者が、撮影された眼底正面画像８００から瞬きが起きたことを認識するのは困難である。これに対し、図８（ｂ）に示すように、領域８０１の偶数フィルドに隣接する偶数フィルドの画像がコピーされることにより、図８（ｂ）に示すように領域８０１に対応する領域８１１の画像は、すべて瞬き跡の画像となる。これにより、観察者は瞬きが起きたことを容易に認識することができる。
【００３１】
次に、Ｓ６０５において、制御部１２３は、瞬き強調加工処理（Ｓ６０４）後の眼底正面画像を、表示部１３０に表示する。なお、制御部１２３は、瞬き加工処理（Ｓ６０４）が行われていない場合には、Ｓ６０２において合成された眼底正面画像を表示する。具体的には、制御部１２３は、図５を参照しつつ説明した観察画面５００において、眼底正面画像を表示する。すなわち、制御部１２３は、眼底正面画像５０１として、図８（ｂ）に示す眼底正面画像８１０を表示する。なお、Ｓ６０４の処理は、検出ラインに隣接する隣接ラインの画像を加工する処理であり、Ｓ６０５の処理は、加工後の画像を表示する処理である。すなわち、Ｓ６０４及びＳ６０５の処理は、隣接ラインの画像を加工して表示する加工表示処理の一例である。
【００３２】
次に、Ｓ６０６において、制御部１２３は、観察終了指示を受け付けたか否かを確認する。なお、制御部１２３は、操作者が測定開始ボタン５０６を押下した場合に観察終了指示を受け付ける。制御部１２３は、観察終了指示を受け付けなかった場合には（Ｓ６０６でＮｏ）、処理をＳ６００へ進める。そして、制御部１２３は、観察画面５００の更新を再び行う。制御部１２３は、観察終了指示を受け付けた場合には（Ｓ６０６でＹｅｓ）、画像生成処理を終了する。被検眼の観察における画像生成処理が終了すると、被検眼の測定、つまりより密で詳細な断層画像の撮影が開始される。
【００３３】
以上のように、本実施形態に係る眼科装置は、瞬き跡が検出された場合には、瞬き跡を強調するような加工を行う。これにより、観察者が、眼底正面画像に瞬き跡が含まれることを容易に認識することができるようになる。すなわち、インタレース方式で撮影された眼底画像における画像不良が観察者に見逃されるのを防ぐことができる。
【００３４】
第１の実施形態に係る眼科装置の第１の変更例としては、瞬き跡検出のための処理は、実施形態に限定されるものではない。他の例としては、画像生成部１２１は、各ラインのピクセル値の平均値を比較する代わりに、対応するピクセルの最大差異を比較し、最大差異が閾値以上の場合に、瞬き跡を検出したと判定してもよい。
【００３５】
また、第２の変更例としては、瞬き強調加工処理は、瞬き跡を観察者が容易に認識可能に画像を加工する処理であればよく、加工の種類は実施形態に限定されるものではない。例えば、画像生成部１２１は、瞬き跡が検出された検出ラインＬ１０と、ラインＬに隣接する隣接ラインＬ９，Ｌ１１とを黒く塗り潰してもよい。これにより、インタレース縞の領域は一様の黒画像となるため、観察者は、瞬きがあったことを容易に認識することができる。なお、この場合、画像生成部１２１は、検出ライン及び隣接ラインの画像を黒画像に変更することにより、黒く塗り潰す。
【００３６】
第３の変更例としては、隣接ラインの画像を加工して表示する加工処理は、Ｓ６０４及びＳ６０５の処理に限定されるものではない。他の例としては、瞬き跡が検出された場合には（Ｓ６０３でＹｅｓ）、眼科装置は、以下の処理を行ってもよい。すなわち、制御部１２３は、隣接ラインの画像上に検出ラインの画像をコピーするための処理として、眼底画像の表示時（Ｓ６０５）に、隣接ラインの画像上に検出ラインの画像を重畳（加工）して表示してもよい。また、第２の変更例のようにラインを黒く塗り潰すための処理として、制御部１２３が、眼底画像の表示時（Ｓ６０５）に、塗り潰し対象のラインの画像上に黒画素を重畳（加工）して表示してもよい。
【００３７】
第４の変更例としては、眼科装置が眼底画像を取得するための方法は実施形態に限定されるものではない。他の例としては、眼科装置は、例えばインタレースのＩＲＣＣＤカメラから眼底画像を取得してもよく、ＯＣＴ撮影による疑似ＳＬＯ等の方法により眼底画像を取得してもよい。
【００３８】
第５の変更例について説明する。本実施形態に係る眼科装置は、フーリエドメイン方式（ＦＤ：Ｆｏｕｒｉｅｒ  Ｄｏｍａｉｎ）のＯＣＴ装置のうち、スペクトラルドメイン方式（ＳＤ：Ｓｐｅｃｔｒａｌ  Ｄｏｍａｉｎ）のＯＣＴ装置とした。ただし、眼科装置における光学配置や装置構成は、実施形態に限定されるものではない。例えば、眼科装置は、他の方式のＯＣＴ装置であってもよい。また、他の例としては、眼科装置は、波長掃引光源を用いたスウェプトソース方式（ＳＳ：Ｓｗｅｐｔ  Ｓｏｕｒｃｅ）のＯＣＴ装置であってもよい。
【００３９】
（第２の実施形態）
第２の実施形態に係る眼科装置は、第１の実施形態に係る眼科装置の処理に加えて、瞬き跡が検出された場合には、再撮影を行うことにより、画像不良のない適切な眼底正面画像を得て、これを保存する。以下、第２の実施形態に係る眼科装置について、第１の実施形態に係る眼科装置と異なる点について説明する。図９は、第２の実施形態に係る眼科装置による、画像生成処理を示すフローチャートである。なお、Ｓ９００〜Ｓ９０６の処理は、第１の実施形態において図６を参照しつつ説明したＳ６００〜Ｓ６０６の処理と同様である。第２の実施形態に係る観察処理においては、制御部１２３は、Ｓ９０６において、観察終了指示を受け付けた場合には（Ｓ９０６でＹｅｓ）、処理をＳ９０７へ進める。
【００４０】
Ｓ９０７において、制御部１２３は、生成された眼底画像に瞬き跡が検出されたか否か、即ち画像不良が検出されたか否かに基づいて、再撮影を行うか否かを判定する（判定処理）。本実施形態においては、制御部１２３は、インタレース縞を検出することにより、画像不良の有無を判定する。具体的には、制御部１２３は、インタレース縞を検出するため、眼底正面画像のラインＬと隣接するラインＬ＋１との類似度を計算する。制御部１２３は、まず（式１）により、比較するラインＬのピクセル値Ｐ＿Ｌ（ｉ）のｎｏｒｍａｌｉｚｅを行う。
【数１】
0006501649.tif 000002
そして、制御部１２３は、（式２）により、ラインＬとラインＬ＋１の類似度を算出する。
【数２】
0006501649.tif 000003
ここで、Ｐ＿Ｌ（ｉ）は、ラインＬ内の位置ｉのピクセル値、ｎはラインＬのピクセルの数である。そして、制御部１２３は、類似度が閾値（例えば０．８）以上の場合に、ラインＬとラインＬ＋１が類似していると判定する。
【００４１】
そして、制御部１２３は、眼底正面画像内のすべてのラインが隣接するラインと類似する場合に、画像不良（インタレース縞）は発生していないと判定し、この場合には再撮影を行わないと判定する。一方、制御部１２３は、画像不良が発生していると判定した場合には、再撮影を行うと判定する。制御部１２３は、再撮影を行うと判定した場合には（Ｓ９０７でＹｅｓ）、処理をＳ９０８へ進める。制御部１２３は、再撮影を行わないと判定した場合には（Ｓ９０７でＮｏ）、処理をＳ９０９へ進める。なお、制御部１２３は、画像の全ライン数に対する画像不良のライン数の割合が閾値以上の場合に再撮影を行うこととしてもよい。このように、制御部１２３は、画像不良の検出結果に基づいて、再撮影を行うか否かを判定すればよい。
【００４２】
Ｓ９０８において、制御部１２３は、撮影部１１０を制御して、保存用の眼底正面画像の再撮影を行う。なお、再撮影の場合には、インタレース方式での撮影を行うこととしてもよく、非インタレース方式の撮影を行うこととしてもよい。また、制御部１２３は、再撮影により得られた眼底正面画像についても画像不良の有無を判定し、画像不良が検出された場合には、撮影部１１０は、繰り返し再撮影を行うこととしてもよい。次に、Ｓ９０９において、制御部１２３は、眼底正面画像を記憶部１２２に保存する（保存処理）。以上で、画像生成処理が終了する。なお、第２の実施形態に係る眼科装置のこれ以外の構成及び処理は、第１の実施形態に係る眼科装置の構成及び処理と同様である。
【００４３】
なお、第２の実施形態に係る眼科装置の変更例としては、制御部１２３は、インタレース縞の検出方法は、実施形態に限定されるものではない。制御部１２３は、例えば以下の方法によりインタレース縞を検出してもよい。すなわち、制御部１２３は、眼底正面画像内の急なコントラストの変化をインタレース縞と誤認識を避けるため、１つのラインＬと隣接するラインＬ−１とラインＬ＋１との類似度を計算し、どちらか大きい方の類似度によって判定してもよい。また、他の例としては、制御部１２３は、画像全体のラインの類似度の平均に基づいて判定してもよい。
【００４４】
また、制御部１２３は、類似度に替えて、（式３）によりライン間の相違度を算出してもよい。この場合、制御部１２３は、相違度が閾値以上の場合に、ラインＬ１とラインＬ＋１は類似しないと判定する。
【数３】
0006501649.tif 000004
【００４５】
また、他の例としては、制御部１２３は、奇数フィルドと偶数フィルド全体を比較して、移動量（動きベクトル）を計算してもよい。具体的には、制御部１２３は、奇数フィルド内の注目領域を決め、偶数フィルド内に奇数注目領域に一番類似する領域を探索する。そして、制御部１２３は、奇数フィルド内の奇数注目領域の位置（ｘ，ｙ）と偶数フィルド内の類似領域の位置（ｘ'，ｙ'）を用いて、その差分を(式４)により、動きベクトル（動きベクトル＝（ｘ−ｘ'，ｙ−ｙ'）として算出する。そして、制御部１２３は、動きベクトルの強度
【数４】
0006501649.tif 000005
が閾値以下の場合に、奇数フィルドと偶数フィルドは類似していると判定する。また、制御部１２３は、Ｓ９０７における画像不良の判定に、例えばＳＮＲ値や、輝度値等の特徴を用いてもよい。
【００４６】
また、他の例としては、制御部１２３は、Ｓ９０７において、画像不良が検出されたか否かを判定するのに替えて、画像不良判定部１２４の判定結果を用いてもよい。
【００４７】
（その他の実施形態）
また本発明の目的は、前述の実施例の機能を実現するソフトウェアのプログラムコードを記録した記録媒体をシステムや装置に供給し、そのシステムや装置の演算装置が記録媒体に格納されたプログラムコードを実行することによっても達成される。この場合、記録媒体から読み出されたプログラムコード自体が前述した実施例の機能を実現することになり、そのプログラムコードを記録した記録媒体は本発明を構成することになる。またコンピュータが読み出したプログラムコードを実行することにより、コンピュータ上で稼動しているオペレーティングシステム（ＯＳ）などが実際の処理の一部または全部を行い、その処理によって前述した実施例の機能が実現される場合も含まれる。
【００４８】
さらに記録媒体から読み出したプログラムコードが、コンピュータ付属の機能拡張カードや機能拡張ユニット内のメモリに書込まれ、前記拡張カードや拡張ユニット内の演算装置が実際の処理の一部か全部を行い、前述の実施例の機能が実現される場合も含む。本発明を上記記録媒体に適用する場合、その記録媒体には、先に説明した図に対応したプログラムコードが格納されることになる。
【００４９】
以上、上述した各実施形態によれば、インタレース方式で撮影された眼底画像における画像不良が観察者に見逃されるのを防ぐことができる。
【００５０】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００５１】
１１０  撮影部
１２０  画像処理部
１３０  表示部
【図１】
0006501649.tif 000006
【図２】
0006501649.tif 000007
【図３】
0006501649.tif 000008
【図４】
0006501649.tif 000009
【図５】
0006501649.tif 000010
【図６】
0006501649.tif 000011
【図７】
0006501649.tif 000012
【図８】
0006501649.tif 000013
【図９】
0006501649.tif 000014